(57)【要約】【課題】  ＤＳＬサービスについての、申し込みから開通までの期間を短縮する。【解決手段】  ユーザ側に設置されるモデム１３のハンドシェーク信号に、ユーザ情報並びに、ユーザが利用するＤＳＬサービス及びインターネットサービスプロバイダを示すインターネット接続情報を含める。このモデム１３と加入者線３を介して接続される電話局２にはＤＳＬモデム検出装置２４を設け、これにより、ハンドシェーク信号を受信し、それに含まれているユーザ情報及びインターネット接続情報を取得する。かかる情報に基づいて、ＤＳＬサービスに対応したＤＳＬ装置２６及び、インターネットサービスプロバイダ５を特定して、接続装置２５，２７により、自動的にＤＳＬ接続を行うよう構成する。【選択図】      図２
2007019873.tif 000002
【特許請求の範囲】
【請求項１】
電話局に、ＤＳＬサービスに対応して各種設けられたＤＳＬ装置と、
前記電話局に設けられ、加入者線を介して接続されたユーザ側のモデムから送信されるハンドシェーク信号を受信し、これに含まれているユーザ情報及びインターネット接続情報を取得して、接続すべきＤＳＬ装置及びインターネットサービスプロバイダを特定するＤＳＬモデム検出装置と、
前記電話局に設けられ、前記モデムを、前記ＤＳＬモデム検出装置が特定したＤＳＬ装置及びインターネットサービスプロバイダへ接続する接続装置と
を備えたことを特徴とするＤＳＬ自動接続装置。
【請求項２】
前記ＤＳＬモデム検出装置は、前記加入者線におけるＤＳＬ信号の有無を検出し、ＤＳＬ信号が所定時間検出されないときは前記接続装置による接続を解除する請求項１記載のＤＳＬ自動接続装置。
【請求項３】
ユーザ情報並びに、ユーザが利用するＤＳＬサービス及びインターネットサービスプロバイダを示すインターネット接続情報を、記憶する手段を有し、加入者線を介して接続装置に対してこれら情報を含めたハンドシェーク信号を送信することにより、当該接続装置に対して、特定のＤＳＬサービス及びインターネットサービスプロバイダへの接続を要求することを特徴とするＤＳＬ接続用モデム。
【請求項４】
さらに、ユーザの接続解除操作により、前記接続装置による接続を解除するハンドシェーク信号を送信する請求項３記載のＤＳＬ接続用モデム。
【請求項５】
ユーザ側で加入者線にモデムを接続し、
前記モデムから、ユーザ情報並びに、ユーザが利用するＤＳＬサービス及びインターネットサービスプロバイダを示すインターネット接続情報を、ハンドシェーク信号に含めて送信し、
前記モデムと加入者線を介して接続される電話局で前記ハンドシェーク信号を受信し、これに含まれているユーザ情報及びインターネット接続情報を取得して、当該電話局においてＤＳＬサービスに対応して各種設けられたＤＳＬ装置から接続すべきＤＳＬ装置を特定し、かつ、インターネットサービスプロバイダを特定し、
前記モデムを、特定されたＤＳＬ装置及びインターネットサービスプロバイダへ接続する
ことを特徴とするＤＳＬ自動接続方法。
【発明の詳細な説明】
【技術分野】
【０００１】
本発明は、電話回線を利用したｘＤＳＬ伝送方式のディジタルデータ通信における、電話局内のＤＳＬ自動接続に関する。
【背景技術】
【０００２】
電話の加入者線（銅線）を利用したｘＤＳＬ伝送方式のディジタルデータ通信により、インターネットへの高速ブロードバンドアクセスを可能とするＤＳＬサービスが、複数の事業者によって既に提供されている。ユーザが新規にＤＳＬサービスを受けるには、電話局内での回線接続の変更、及び、ユーザ宅内での通信機器（モデム、スプリッタ）の設置が必要である（例えば、特許文献１参照。）。
【０００３】
【特許文献１】特開２００４−１７９８４８号公報（図１）
【発明の開示】
【発明が解決しようとする課題】
【０００４】
しかしながら、電話局内の回線接続に係る装置それ自体には、新たなＤＳＬサービスの提供に対応する機能が無く、また、ＤＳＬサービスやインターネットサービスプロバイダの変更に対応する機能が無かった。従って、電話局内の装置間で配線ケーブル等の接続形態を変更することでしか回線接続の変更に対応できなかった。そのため、ユーザがＤＳＬサービスの申し込みをしてから実際に開通するまでに、２〜３週間もかかっているのが実情であり、迅速化が望まれている。
上記のような従来の問題点に鑑み、本発明は、ＤＳＬサービスについての、申し込みから開通までの期間を短縮することを目的とする。
【課題を解決するための手段】
【０００５】
本発明のＤＳＬ自動接続装置は、電話局に、ＤＳＬサービスに対応して各種設けられたＤＳＬ装置と、前記電話局に設けられ、加入者線を介して接続されたユーザ側のモデムから送信されるハンドシェーク信号を受信し、これに含まれているユーザ情報及びインターネット接続情報を取得して、接続すべきＤＳＬ装置及びインターネットサービスプロバイダを特定するＤＳＬモデム検出装置と、前記電話局に設けられ、前記モデムを、前記ＤＳＬモデム検出装置が特定したＤＳＬ装置及びインターネットサービスプロバイダへ接続する接続装置とを備えたものである。
【０００６】
上記のように構成されたＤＳＬ自動接続装置では、ユーザが加入者線に接続したモデムから送信されるハンドシェーク信号（ユーザ情報及びインターネット接続情報を含む）を、電話局のＤＳＬモデム検出装置が受信する。ＤＳＬモデム検出装置は、ハンドシェーク信号に含まれているユーザ情報及びインターネット接続情報を取得して、接続すべきＤＳＬサービス及びインターネットサービスプロバイダを特定する。そして、接続装置は、モデムを、特定されたＤＳＬ装置及びインターネットサービスプロバイダへ接続する。このようにして、モデムから送信されるハンドシェーク信号に基づいて、自動的に、電話局内でＤＳＬサービス及びインターネットサービスプロバイダの接続が行われる。
【０００７】
また、上記のＤＳＬ自動接続装置において、ＤＳＬモデム検出装置は、加入者線におけるＤＳＬ信号の有無を検出し、ＤＳＬ信号が所定時間検出されないときは接続装置による接続を解除するようにしてもよい。
【０００８】
この場合、ユーザがモデムの電源を切るか又はモデムを加入者線から外したとき、ＤＳＬモデム検出装置は、ＤＳＬ信号がなくなったことを検出する。また、ＤＳＬモデム検出装置は、ＤＳＬ信号が検出されない時間が所定時間に達すると、電話局内の接続を解除し、ＤＳＬサービスを解除するとともに、インターネットサービスプロバイダへの接続も解除する。このように、ユーザがモデムの電源を切るか又はモデムを加入者線から外すことによって、自動的に、電話局内のＤＳＬ接続が解除される。ＤＳＬ接続が解除された電話局のＤＳＬ装置は直ちに「空き」の状態となるので、他のユーザへのＤＳＬサービス提供に回すことが可能となる。これにより、ＤＳＬ装置を遊ばせることが少なくなるので、１つの電話局内で用意すべきＤＳＬ装置の数を低減することができる。また、ユーザは、他の加入者線にモデムを接続することにより、他の場所でＤＳＬサービスを受けることができる。
【０００９】
また、本発明のＤＳＬ接続用モデムは、ユーザ情報並びに、ユーザが利用するＤＳＬサービス及びインターネットサービスプロバイダを示すインターネット接続情報を、記憶する手段を有し、加入者線を介して接続装置に対してこれら情報を含めたハンドシェーク信号を送信することにより、当該接続装置に対して、特定のＤＳＬサービス及びインターネットサービスプロバイダへの接続を要求するものである。
【００１０】
上記のように構成されたＤＳＬ接続用モデムでは、ユーザが加入者線に当該モデムを接続することによってユーザ情報及びインターネット接続情報を含むハンドシェーク信号が送信される。これを受信した電話局では、ハンドシェーク信号に含まれているユーザ情報及びインターネット接続情報から、接続すべきＤＳＬサービス及びインターネットサービスプロバイダを特定して、モデムを、特定されたＤＳＬ装置及びインターネットサービスプロバイダへ接続することができる。このようにして、ユーザがモデムを加入者線に接続するだけで、接続に必要な情報が送信され、電話局内でＤＳＬサービス及びインターネットサービスプロバイダの接続を行うことが可能となる。
【００１１】
また、上記ＤＳＬ接続用モデムにおいて、さらに、ユーザの接続解除操作により、接続装置による接続を解除するハンドシェーク信号を送信するようにしてもよい。
この場合、ユーザが接続解除操作をすることにより、接続解除情報を含むハンドシェーク信号が送信される。電話局側ではこの信号を受けて、ＤＳＬ接続を解除することができる。ユーザは、加入者線からモデムを外して他の加入者線に接続することにより、他の場所でＤＳＬサービスを受けることができる。
【００１２】
一方、本発明のＤＳＬ自動接続方法は、(1)ユーザ側で加入者線にモデムを接続し、(2)前記モデムから、ユーザ情報並びに、ユーザが利用するＤＳＬサービス及びインターネットサービスプロバイダを示すインターネット接続情報を、ハンドシェーク信号に含めて送信し、(3)前記モデムと加入者線を介して接続される電話局で前記ハンドシェーク信号を受信し、これに含まれているユーザ情報及びインターネット接続情報を取得して、当該電話局においてＤＳＬサービスに対応して各種設けられたＤＳＬ装置から接続すべきＤＳＬ装置を特定し、かつ、インターネットサービスプロバイダを特定し、(4)前記モデムを、特定されたＤＳＬ装置及びインターネットサービスプロバイダへ接続するものである。
上記のようなＤＳＬ自動接続方法では、ユーザがモデムを加入者線に接続するだけで、自動的に、電話局内でＤＳＬサービス及びインターネットサービスプロバイダの接続が行われる。
【発明の効果】
【００１３】
本発明のＤＳＬ自動接続装置、ＤＳＬ接続用モデム及びＤＳＬ自動接続方法によれば、ユーザがモデムを加入者線に接続するだけで、自動的に、電話局内でＤＳＬサービス及びインターネットサービスプロバイダの接続が行われ、ＤＳＬサービスが開始されるので、ＤＳＬサービスについての申し込みから開通までの期間を短縮することができる。
【発明を実施するための最良の形態】
【００１４】
図１は、本発明の第１の実施形態によるＤＳＬ自動接続装置及びＤＳＬ接続用モデムを示す接続図である。この図は、ユーザがまだＤＳＬサービスを受けていない状態を示している。図において、個人又は法人であるユーザ宅１内には、電話機１１のみが設置されている。一方、電話局２内には、回線接続板２１が設けられ、これに、多数の加入者線３が接続される。回線接続板２１の端子２１ａ，２１ｂには、加入者線３ごとにスプリッタ２２が接続されており、電話信号は、端子２１ａ，２１ｂ間にスプリッタ２２を介して伝送される。回線接続板２１の端子２１ｂは電話交換機２３と接続され、ここからさらに、電話公衆網４へと接続される。
【００１５】
一方、上記スプリッタ２２のＤＳＬ信号線は、ＤＳＬモデム検出装置２４及び接続装置２５と接続されている。ＤＳＬモデム検出装置２４は、ＤＳＬ接続用モデムから送信されるハンドシェーク信号受信及び解析の機能を有する。また、電話局２内には、予め、ＤＳＬサービスの内容（ＤＳＬ方式、ＤＳＬ事業者及びＤＳＬサービスメニュー）に対応した各種の複数のＤＳＬ装置２６が設けられている。接続装置２５は、ＤＳＬサービスに対応したＤＳＬ装置２６への接続を行うが、ユーザ宅１内に電話機１１のみが設置されている図示の状態では、当該接続を行わない。さらに、電話局２内には、複数のインターネットサービスプロバイダ５のうち特定のものへの接続を行う接続装置２７が設けられ、この接続装置２７から１つのインターネットサービスプロバイダ５を介してインターネット６への接続が可能となっている。ここで、ＤＳＬモデム検出装置２４、接続装置２５，２７及びＤＳＬ装置２６は、電話局側のＤＳＬ自動接続装置を構成している。
【００１６】
なお、上記の構成において、スプリッタ２２の他、ＤＳＬモデム検出装置２４も、全ての加入者線３ごとに設けられる。他方、接続装置２５，２７及びＤＳＬ装置２６についても、これらを全ての加入者線３ごとに設けることは可能であるが、実際には全ての電話ユーザがＤＳＬサービスを希望することはないので、実際に使用されるＤＳＬ通信の回線数を想定して、その回線数の接続処理が可能な範囲で数量を抑えることが合理的である。
【００１７】
ユーザがＤＳＬサービスの申し込みをすると、ＤＳＬサービスを提供するＤＳＬ事業者から、モデム及びスプリッタが提供される（但し、スプリッタ一体型のモデムもある。）。ｘＤＳＬでは、モデムと電話局の装置との通信確立の最初に、「ハンドシェーク」が行われる。ハンドシェークについては、ＩＴＵ−Ｔ勧告Ｇ．９９４．１（１９９９年６月初版制定）に規定されており、ＤＳＬの方式に依存せず、単一のトーンによるＤＰＳＫ変調信号を用いて、電話局内のＤＳＬ装置と、ユーザ側のモデムとの間で、やりとりを行うものである。
【００１８】
図３は、このモデムのハンドシェーク信号におけるメッセージ情報フィールドの構成を示す図である。メッセージ情報フィールドは、大別して、識別フィールドＦ１、標準情報フィールドＦ２及び非標準情報フィールドＦ３の３フィールドからなる。このモデムがサポートしているＤＳＬ方式（ＡＤＳＬ，ＶＤＳＬ，ＳＨＤＳＬ等）については、標準情報フィールドＦ２にその情報が記録されている。そして、本実施形態では、オプションフィールドである非標準情報フィールドＦ３に、追加の情報として、ＤＳＬ事業者、ＤＳＬサービスメニュー（例えば、２４Ｍサービス、４０Ｍサービス）、インターネットサービスプロバイダ、及び、ユーザ情報（名前、申し込み番号、アカウント名等）を記録させてある。モデムとの間で伝送を行うのはＤＳＬ装置２６であるが、ＤＳＬモデム検出装置２４も、ハンドシェーク信号を受信してその内容を解析することができる。
【００１９】
図２は、モデム１３の設置後、電話局２内の自動接続が完了した状態を示す接続図である。この状態に至るには、まず、ユーザが、ユーザ宅１内にモデム１３（ＤＳＬ接続用モデム）及びスプリッタ１２を設置する。モデム１３にはパソコン１４が接続され、パソコン１４側で、モデム１３のインストールや必要な設定が行われる。モデム１３は、ＤＳＬ装置２６との通信確立のため、ハンドシェーク信号を送信する。このハンドシェーク信号は電話局２内のＤＳＬモデム検出装置２４によって検出される。ＤＳＬモデム検出装置２４は、ハンドシェーク信号を受信し、かつ、これを解析してＤＳＬ方式、ＤＳＬ事業者、ＤＳＬサービスメニュー、インターネットサービスプロバイダ、及び、ユーザ情報を読み取る。
【００２０】
ＤＳＬモデム検出装置２４は、読みとったＤＳＬ方式、ＤＳＬ事業者及びＤＳＬサービスメニューに基づいて、モデム１３と接続すべきＤＳＬ装置２６を特定する。そして、ＤＳＬモデム検出装置２４は接続装置２５を制御し、特定のＤＳＬ装置２６への接続を自動的に実行する。また、ＤＳＬモデム検出装置２４は、読みとったインターネットサービスプロバイダ及びユーザ情報に基づいて、モデム１３と接続すべきインターネットサービスプロバイダ５を特定する。そして、ＤＳＬモデム検出装置２４は接続装置２７を制御し、特定のインターネットサービスプロバイダ５への接続を自動的に実行する。
【００２１】
以上のようにして、電話局２内で自動的に、ＤＳＬサービスに対応したＤＳＬ装置２６と、インターネットサービスプロバイダ５とに接続が行われ、インターネット接続が完成される。すなわち、ユーザが、宅内の加入者線３にモデム１３等を接続しただけで、直ちに、申し込みをしたＤＳＬサービスの提供を受けることができる。従って、この場合、ＤＳＬサービスについての申し込みから開通までの期間とは、申し込み時点から、モデム１３等が届き、これを接続完了するまでの期間となり、従来のＤＳＬ接続に比べて大幅に期間短縮することができる。
【００２２】
次に、一旦ＤＳＬサービスが開通してから、必要に応じて、電話局２内の接続を解除するための構成例について説明する。
（１）第１の構成
モデム１３に接続解除ボタン（図示せず。）を設けておく。また、この接続解除ボタンが操作されると、ＤＳＬ通信が切断され、その後、接続解除情報（接続解除のメッセージ）を持ったハンドシェーク信号が送信されるように、モデム１３のファームウェア等を構成しておく。
【００２３】
この場合、ユーザがモデム１３の接続解除操作をすることにより、まずＤＳＬ通信が切断される。続いて、モデム１３から、接続解除情報を含むハンドシェーク信号が送信される。ＤＳＬモデム検出装置２４は、ハンドシェーク信号を受信して接続解除情報を取得すると、接続装置２５，２７による接続を解除し、ＤＳＬ装置２６を解放するとともに、インターネットサービスプロバイダ５への接続も解除する。すなわち、電話局２内の接続はモデム設置前の状態に戻る。このようにして、ユーザが接続解除操作することによって、自動的に、電話局２内のＤＳＬ接続が解除される。接続が解除された電話局２のＤＳＬ装置２６は直ちに「空き」の状態となる。
【００２４】
（２）第２の構成
ハンドシェーク信号は単一周波数のトーン信号であるのに対して、ＤＳＬ通信では広帯域を用いた信号を送受信する。そこで、ＤＳＬモデム検出装置２４には、ＤＳＬ信号の有無を検出する機能を持たせる。これにより、ＤＳＬモデム検出装置２４は、モデム１３とＤＳＬ装置２６との間で、ＤＳＬ通信が行われているか否かをモニタすることができる。また、ＤＳＬモデム検出装置２４に、ＤＳＬ信号が検出されなくなってからの時間をカウントするタイマ機能と、この時間が所定時間に達したとき、接続装置２５，２７による接続を解除する機能とを持たせる。
【００２５】
ユーザがモデム１３の電源を切るか又はモデム１３を加入者線３から外したとき、加入者線３上にＤＳＬ信号はなくなり、このことは、ＤＳＬモデム検出装置２４によって検出される。また、ＤＳＬモデム検出装置２４は、ＤＳＬ信号が検出されなくなってからの時間をカウントする。この時間が所定時間に達すると、ＤＳＬモデム検出装置２４は、接続装置２５，２７による接続を解除し、ＤＳＬ装置２６を解放するとともに、インターネットサービスプロバイダ５への接続も解除する。このようにすれば、モデム１３に接続解除ボタン等を設けることなく、ＤＳＬモデム検出装置２４のみの機能で、ＤＳＬ接続を解除することができる。
【００２６】
以上の（１）、（２）その他同様な構成により電話局２内のＤＳＬ接続を解除すれば、ユーザはモデム１３を取り外して、これを他の場所へ移動し、他の加入者線に接続することができる。これにより、どこの加入者線経由でも、ユーザはＤＳＬサービスを受けることができる。例えば、自宅のモデムをノートパソコン等と共に出張先に持ち込み、そこでＤＳＬサービスを受ける、ということが簡単に行えるようになる。すなわち、電話機とサービスとが固定的に対応していた従来の構成とは異なり、ユーザとサービスとを対応させることができるので、ポータビリティ（モデムを持ち歩ける。）が増す。また、ＤＳＬ接続が解除された電話局２のＤＳＬ装置２６は直ちに「空き」の状態となるので、他のユーザへのＤＳＬサービス提供に回すことが可能となる。これにより、ＤＳＬ装置２６を遊ばせることが少なくなるので、１つの電話局２内で用意すべきＤＳＬ装置２６の数を低減することができる。
【００２７】
図４は、本発明の第２の実施形態によるＤＳＬ自動接続装置及びＤＳＬ接続用モデムを示す接続図である。第１の実施形態とは接続装置２８、ＤＳＬモデム検出装置２４の機能、及び、電話局２内の接続構成が異なるが、それ以外の各部の固有の機能は、同様である。
この図は、ユーザがまだＤＳＬサービスを受けていない状態を示しており、ユーザ宅１内には、電話機１１のみが設置されている。一方、電話局２内に設けられた接続装置２８の端子２８ａには加入者線３が、端子２８ｂには電話交換機２３が、それぞれ接続される。端子２８ａと端子２８ｂとの間には、外部信号により開閉可能な接点２８ｃが存在している。接点２８ｃは、この状態では閉じている。
【００２８】
一方、接続装置２８の端子２８ａには、ＤＳＬモデム検出装置２４及び接続装置２５が接続されている。ここで、ＤＳＬモデム検出装置２４は、加入者線３ごとに図示のように接続されている。また、電話局２内には、予め、ＤＳＬサービスの内容に対応し、かつ、スプリッタ２２を前置した各種の複数のＤＳＬ装置２６が設けられている。但し、この状態では、スプリッタ２２とＤＳＬ装置２６とは互いに接続されているが、接続装置２５はスプリッタ２２と接続されていない。さらに、インターネットサービスプロバイダ５との接続を行う接続装置２７は、この状態では、ＤＳＬ装置２６と接続されていない。スプリッタ２２の電話信号の出力線は接続装置２８の端子２８ｂのいずれかと接続可能であるが、この状態では接続されていない。接続装置２８は、接点２８ｃを閉じた状態では単なる中継的機能を有するだけであるが、ＤＳＬモデム検出装置２４から開閉制御信号を受けると、接点２８ｃを開き、その接点２８ｃの端子２８ｂに、スプリッタ２２からの電話信号を取り込む機能を有する。
【００２９】
なお、図４の構成において、上述のように、ＤＳＬモデム検出装置２４は全ての加入者線３ごとに設けられる。他方、接続装置２５、スプリッタ２２、ＤＳＬ装置２６及び接続装置２７についても、全ての加入者線３ごとに設けることは可能であるが、実際には全ての電話ユーザがＤＳＬサービスを希望することはないので、実際に使用されるＤＳＬ通信の回線数を想定して、その回線数の接続処理が可能な範囲で数量を抑えることが合理的である。
【００３０】
次に、図５に示すように、ユーザが、ユーザ宅１内にモデム１３及びスプリッタ１２を設置し、モデム１３にパソコン１４を接続する。モデム１３は、ＤＳＬ装置２６との通信確立のため、ハンドシェーク信号を送信する。このハンドシェーク信号は電話局２内のＤＳＬモデム検出装置２４によって検出される。ＤＳＬモデム検出装置２４は、ハンドシェーク信号を受信し、かつ、これを解析してＤＳＬ方式、ＤＳＬ事業者、ＤＳＬサービスメニュー、インターネットサービスプロバイダ、及び、ユーザ情報を読み取る。
【００３１】
ＤＳＬモデム検出装置２４は、読みとったＤＳＬ方式、ＤＳＬ事業者及びＤＳＬサービスメニューに基づいて、モデム１３と接続すべきＤＳＬ装置２６を特定する。そして、ＤＳＬモデム検出装置２４は接続装置２５を制御し、スプリッタ２２を介して特定のＤＳＬ装置２６への接続を自動的に実行する。また、ＤＳＬモデム検出装置２４は、読みとったインターネットサービスプロバイダ及びユーザ情報に基づいて、モデム１３と接続すべきインターネットサービスプロバイダ５を特定する。そして、ＤＳＬモデム検出装置２４は接続装置２７を制御し、特定のインターネットサービスプロバイダ５への接続を自動的に実行する。
【００３２】
また、ＤＳＬモデム検出装置２４は、接続装置２８に制御信号を送り、接点２８ｃを開かせ、かつ、その加入者線３に接続されたスプリッタ２２からの電話信号の出力線を端子２８ｂに接続する。これにより、ＤＳＬサービスを受けるユーザの加入者線３は、電話信号に関しては、接続装置２５からスプリッタ２２を介して、電話交換機２３につながる構成となる。
【００３３】
以上のようにして、電話局２内では自動的に、ＤＳＬサービスに対応したＤＳＬ装置２６と、インターネットサービスプロバイダ５とに接続が行われ、インターネット接続が完成される。すなわち、第１の実施形態と同様に、ユーザは、ユーザ宅１内の加入者線３にモデム１３を接続しただけで、直ちに、申し込みをしたＤＳＬサービスの提供を受けることができる。また、第２の実施形態では、電話局２内においてスプリッタ２２を加入者線３ごとに同数設ける必要がないため、その分、簡素で安価な構成とすることができる。
【００３４】
なお、上記各実施形態においては２つの接続装置２５，２７によりＤＳＬ自動接続を行っているが、これらは物理的に必ずしも２つの装置として存在しなくてもよく、１つの接続装置に多機能を搭載した構成であってもよい。要するに、ハンドシェーク信号に基づいてＤＳＬモデム検出装置２４が特定したＤＳＬ装置２６及びインターネットサービスプロバイダ５に、モデム１３を接続するＤＳＬ通信路を形成する機能を有していればよい。また、かかる接続装置２５，２７を、見かけ上、ＤＳＬモデム検出装置２４と一体化することも可能である。
【図面の簡単な説明】
【００３５】
【図１】本発明の第１の実施形態によるＤＳＬ自動接続装置及びＤＳＬ接続用モデムを示す接続図であり、ＤＳＬサービスを受けていない状態を示している。
【図２】本発明の第１の実施形態によるＤＳＬ自動接続装置及びＤＳＬ接続用モデムを示す接続図であり、ＤＳＬサービスの通信路が形成された状態を示している。
【図３】ユーザ側に設置されるモデムのハンドシェーク信号におけるメッセージ情報フィールドの構成を示す図である。
【図４】本発明の第２の実施形態によるＤＳＬ自動接続装置及びＤＳＬ接続用モデムを示す接続図であり、ＤＳＬサービスを受けていない状態を示している。
【図５】本発明の第２の実施形態によるＤＳＬ自動接続装置及びＤＳＬ接続用モデムを示す接続図であり、ＤＳＬサービスの通信路が形成された状態を示している。
【符号の説明】
【００３６】
１    ユーザ宅
２    電話局
３    加入者線
５    インターネットサービスプロバイダ
１３    モデム（ＤＳＬ接続用モデム）
２４    ＤＳＬモデム検出装置
２５，２７    接続装置
２６    ＤＳＬ装置
【図１】
2007019873.tif 000003
【図２】
2007019873.tif 000004
【図３】
2007019873.tif 000005
【図４】
2007019873.tif 000006
【図５】
2007019873.tif 000007